(57)【要約】拡張アップリンクのスケジューリング許可を処理する方法および装置を開示する。無線送信／受信装置（ＷＴＲＵ）は絶対的許可（ＡＧ）および相対的許可（ＲＧ）を検出する。一度ＷＴＲＵがＡＧまたはＲＧを検出すると、新規サービング許可（ＳＧ）を生成し、受信したＡＧが１次のＡＧかまたは２次のＡＧか、スケジューリングモードが１次のＡＧモードかまたは２次のＡＧモードか、ＡＧ値が「非アクティブ」に設定されているかおよび送信時間間隔が２ｍｓかまたは１０ｍｓかに応じて、ハイブリッド自動反復要求（ＨＡＲＱ）処理をアクティブ化するかまたは非アクティブ化することができる。古くなる２次のＡＧが存在しない場合にのみ１次のＡＧモードから２次のＡＧモードへスケジューリングモードを切り替える前に、ノード‐ＢスケジューラはＷＴＲＵに２次のＡＧを送信することができ、時間閾値を実装することにより古くなる２次のＡＧを検出することができる。
2009506721.tif 000002
【特許請求の範囲】
【請求項１】
無線送信／受信装置（ＷＴＲＵ）が拡張個別チャネル（Ｅ‐ＤＣＨ）絶対的許可チャネル（Ｅ‐ＡＧＣＨ）を介してサービング無線リンクセット（ＲＬＳ）から絶対的許可（ＡＧ）を受信し、Ｅ‐ＤＣＨ相対的許可チャネル（Ｅ‐ＲＧＣＨ）を介して前記サービングＲＬＳおよび非サービング無線リンク（ＲＬ）から相対的許可（ＲＧ）を受信するように拡張アップリンク（ＥＵ）をサポートする無線通信システムにおいて、サービング許可（ＳＧ）を生成する方法であって、
前記方法が、
ＡＧおよびＲＧを含むスケジューリング許可を検出するステップと、
前記スケジューリング許可がＡＧであるかを判断するステップと、
前記スケジューリング許可がＡＧであれば、前記スケジューリング許可が１次のＡＧであるかまたは２次のＡＧであるかを判断するステップと、
前記スケジューリング許可が１次のＡＧであれば、前記スケジューリング許可が搬送するＡＧ値によりＳＧを更新するステップと
を含むことを特徴とする方法。
【請求項２】
前記スケジューリング許可がＡＧでなければ、スケジューリングモードが１次のＡＧモードであるかを判断するステップと、
前記スケジューリングモードが１次のＡＧモードでなければ、次の送信時間間隔（ＴＴＩ）を待つステップと
をさらに含むことを特徴とする請求項１に記載の方法。
【請求項３】
前記スケジューリングモードが１次のＡＧモードであれば、受信したＲＧに基づき前記ＳＧを更新するステップをさらに含むことを特徴とする請求項２に記載の方法。
【請求項４】
同一のハイブリッド自動反復要求（Ｈ‐ＡＲＱ）処理のために前の送信時間間隔（ＴＴＩ）の電力比に対して前記ＲＧを解釈することを特徴とする請求項３に記載の方法。
【請求項５】
前記ＲＧがアップコマンド、ダウンコマンドおよびホールドコマンドの中の１つを示し、前記ＲＧがアップコマンドを示す場合には、所定のステップサイズだけ前のＳＧを増加させることにより前記ＳＧを生成し、前記ＲＧがダウンコマンドを示す場合には、前記所定のステップサイズだけ前のＳＧを減少させることにより前記ＳＧを生成し、前記ＲＧがホールドコマンドを示す場合には、前のＳＧは変更なしのままであることを特徴とする請求項４に記載の方法。
【請求項６】
前記スケジューリング許可が１次のＡＧであれば、スケジューリングモードを１次のＡＧモードに設定するステップをさらに含むことを特徴とする請求項１に記載の方法。
【請求項７】
前記スケジューリング許可のＡＧ値が「非アクティブ」に設定されているかを判断するステップさらに含み、前記ＡＧ値が「非アクティブ」に設定されていなければ、前記スケジューリング許可の前記ＡＧ値に前記ＳＧを設定することを特徴とする請求項１に記載の方法。
【請求項８】
前記ＡＧ値が「非アクティブ」に設定されていれば、スケジューリングモードを２次のＡＧモードに設定するステップをさらに含むことを特徴とする請求項７に記載の方法。
【請求項９】
送信時間間隔（ＴＴＩ）が１０ｍｓであるかまたは２ｍｓであるかを判断するステップと、
前記ＴＴＩが１０ｍｓであれば、全てのＨ‐ＡＲＱ処理をアクティブ化し、次のＴＴＩを待つステップと
をさらに含むことを特徴とする請求項７に記載の方法。
【請求項１０】
前記ＴＴＩが２ｍｓであれば、アクティブ化フラグが「単一」に設定されているかまたは「全て」に設定されているかを判断するステップと、
前記アクティブ化フラグが「単一」に設定されていれば、対応するハイブリッド自動反復要求（Ｈ‐ＡＲＱ）処理をアクティブ化するステップと、
前記アクティブ化フラグが「全て」に設定されていれば、全てのＨ‐ＡＲＱ処理をアクティブ化するステップと
をさらに含むことを特徴とする請求項９に記載の方法。
【請求項１１】
前記ＡＧ値が「非アクティブ」に設定されていれば、送信時間間隔（ＴＴＩ）が２ｍｓのＴＴＩであるかまたは１０ｍｓのＴＴＩであるかを判断するステップと、
前記ＴＴＩが２ｍｓのＴＴＩであれば、アクティブ化フラグが「単一」に設定されているかまたは「全て」に設定されているかを判断するステップと、
前記アクティブ化フラグが「単一」に設定されていれば、対応するハイブリッド自動反復要求（Ｈ‐ＡＲＱ）処理を非アクティブ化するステップと
をさらに含むことを特徴とする請求項７に記載の方法。
【請求項１２】
前記アクティブ化フラグが「全て」に設定されているか、または前記ＴＴＩが１０ｍｓのＴＴＩであるかのいずれかであれば、２次のＥ‐ＤＣＨ無線ネットワーク暫定識別子（Ｅ‐ＲＮＴＩ）が構成されているかを判断するステップと、
前記２次のＥ‐ＲＮＴＩが構成されていなければ、全てのＨ‐ＡＲＱ処理を非アクティブ化するステップと
をさらに含むことを特徴とする請求項１１に記載の方法。
【請求項１３】
前記２次のＥ‐ＲＮＴＩが構成されていれば、最後に受信したＡＧ値に基づき前記ＳＧ値を設定するステップと；
全てのＨ‐ＡＲＱ処理をアクティブ化するステップと、
スケジューリングモードを２次のＡＧモードに設定するステップと
をさらに含むことを特徴とする請求項１２に記載の方法。
【請求項１４】
前記２次のＥ‐ＲＮＴＩが構成されていれば、現在のＳＧ値を維持するステップと、
全てのＨ‐ＡＲＱ処理をアクティブ化するステップと、
スケジューリングモードを２次のＡＧモードに設定するステップと
をさらに含むことを特徴とする請求項１２に記載の方法。
【請求項１５】
前記スケジューリング許可が１次のＡＧでなければ、前記スケジューリングモードが２次のＡＧモードであるかを判断するステップと、
前記スケジューリングモードが２次のＡＧモードであれば、前記スケジューリング許可のＡＧ値に前記ＳＧを設定するステップと
をさらに含むことを特徴とする請求項６に記載の方法。
【請求項１６】
前記スケジューリングモードが２次のＡＧモードでなければ、前記スケジューリング許可のＡＧ値を蓄積するステップをさらに含むことを特徴とする請求項１５に記載の方法。
【請求項１７】
１次のＡＧモードから２次のＡＧモードへ前記スケジューリングモードを切り替える前に、前記サービングＲＬＳが２次のＡＧを送信することを特徴とする請求項８に記載の方法。
【請求項１８】
前記１次のＡＧモードから前記２次のＡＧモードへ前記スケジューリングモードを切り替える前に、古くなる２次のＡＧが存在するかを前記サービングＲＬＳが判断するステップと、
古くなる２次のＡＧが存在しない場合にのみ、前記サービングＲＬＳが前記スケジューリングモードを切り替えるステップと
をさらに含むことを特徴とする請求項１７に記載の方法。
【請求項１９】
時間閾値を実装することにより、前記古くなる２次のＡＧの前記存在を前記サービングＲＬＳが判断するステップを含むことを特徴とする請求項１８に記載の方法。
【請求項２０】
前記時間閾値が静的であることを特徴とする請求項１９に記載の方法。
【請求項２１】
前記時間閾値を所定の要因に基づき動的に調整することを特徴とする請求項１９に記載の方法。
【請求項２２】
前記所定の要因がトラフィック状態の変化速度、干渉状態の変動速度および車両速度の中の少なくとも１つを含むことを特徴とする請求項２１に記載の方法。
【請求項２３】
前記ＡＧ値が「非アクティブ」に設定されていれば、前記アクティブ化フラグが「単一」に設定されているかまたは「全て」に設定されているかを判断するステップと、
前記アクティブ化フラグが「単一」に設定されていれば、ＴＴＩが２ｍｓのＴＴＩであるかまたは１０ｍｓのＴＴＩであるかを判断するステップと、
前記ＴＴＩが２ｍｓのＴＴＩであれば、対応するハイブリッド自動反復要求（Ｈ‐ＡＲＱ）処理を非アクティブ化するステップと
をさらに含むことを特徴とする請求項７に記載の方法。
【請求項２４】
前記アクティブ化フラグが「全て」に設定されていれば、２次のＥ‐ＤＣＨ無線ネットワーク暫定識別子（Ｅ‐ＲＮＴＩ）が構成されているかを判断するステップと、
前記２次のＥ‐ＲＮＴＩが構成されていなければ、前記ＴＴＩが２ｍｓのＴＴＩであるかまたは１０ｍｓのＴＴＩであるかを判断するステップと、
前記ＴＴＩが２ｍｓのＴＴＩであれば、全てのＨ‐ＡＲＱ処理を非アクティブ化するステップと
をさらに含むことを特徴とする請求項２３に記載の方法。
【請求項２５】
前記２次のＥ‐ＲＮＴＩが構成されていれば、最後に受信したＡＧ値に基づき前記ＳＧ値を設定するステップと、
全てのＨ‐ＡＲＱ処理をアクティブ化するステップと、
スケジューリングモードを２次のＡＧモードに設定するステップと
をさらに含むことを特徴とする請求項２４に記載の方法。
【請求項２６】
前記２次のＥ‐ＲＮＴＩが構成されていれば、現在のＳＧ値を維持するステップと、
全てのＨ‐ＡＲＱ処理をアクティブ化するステップと、
スケジューリングモードを２次のＡＧモードに設定するステップと
をさらに含むことを特徴とする請求項２４に記載の方法。
【請求項２７】
前記ＡＧ値が「非アクティブ」に設定されているかを判断するステップと、
前記ＡＧ値が「非アクティブ」に設定されていない場合にのみ、前記スケジューリングモードが２次のＡＧモードであるかを判断するステップと
をさらに含むことを特徴とする請求項１５に記載の方法。
【請求項２８】
無線送信／受信装置（ＷＴＲＵ）が拡張個別チャネル（Ｅ‐ＤＣＨ）絶対的許可チャネル（Ｅ‐ＡＧＣＨ）を介してサービング無線リンクセット（ＲＬＳ）から絶対的許可（ＡＧ）を受信し、Ｅ‐ＤＣＨ相対的許可チャネル（Ｅ‐ＲＧＣＨ）を介して前記サービングＲＬＳおよび非サービング無線リンク（ＲＬ）から相対的許可（ＲＧ）を受信するように拡張アップリンク（ＥＵ）をサポートする無線通信システムにおいて、サービング許可（ＳＧ）を生成するＷＴＲＵであって、前記ＷＴＲＵが、
ＡＧおよびＲＧを含む受信したスケジューリング許可を復号化する復号化器と、
前記受信したスケジューリング許可が１次のＡＧであれば、前記受信したスケジューリング許可が搬送するＡＧ値によりＳＧを更新するように構成するＳＧプロセッサと
を含むことを特徴とするＷＴＲＵ。
【請求項２９】
受信したスケジューリング許可がＡＧでなければ、スケジューリングモードが１次のＡＧモードであるかを判断し、前記スケジューリングモードが１次のＡＧモードでないと判断すれば次の送信時間間隔（ＴＴＩ）を待つように、前記ＳＧプロセッサを構成することを特徴とする請求項２８に記載のＷＴＲＵ。
【請求項３０】
前記受信したスケジューリングモードが１次のＡＧモードであれば、受信したＲＧに基づき前記ＳＧを更新するように、前記ＳＧプロセッサを構成することを特徴とする請求項２９に記載のＷＴＲＵ。
【請求項３１】
同一のハイブリッド自動反復要求（Ｈ‐ＡＲＱ）処理のために前の送信時間間隔（ＴＴＩ）の電力比に対して、前記ＳＧプロセッサがＲＧを解釈することを特徴とする請求項３０に記載のＷＴＲＵ。
【請求項３２】
前記ＲＧがアップコマンド、ダウンコマンドおよびホールドコマンドの中の１つを示し、前記ＲＧがアップコマンドを示す場合には、所定のステップサイズだけ前のＳＧを増加させることにより、前記ＳＧプロセッサが前記ＳＧを生成し、前記ＲＧがダウンコマンドを示す場合には、前記所定のステップサイズだけ前のＳＧを減少させることにより、前記ＳＧプロセッサが前記ＳＧを生成し、前記ＲＧがホールドコマンドを示す場合には、前記ＳＧプロセッサが前のＳＧを保持することを特徴とする請求項３１に記載のＷＴＲＵ。
【請求項３３】
前記スケジューリング許可が１次のＡＧであれば、スケジューリングモードを１次のＡＧモードに設定するように、前記ＳＧプロセッサを構成することを特徴とする請求項２８に記載のＷＴＲＵ。
【請求項３４】
前記スケジューリング許可のＡＧ値が「非アクティブ」に設定されているかを判断するように前記ＳＧプロセッサを構成し、前記ＡＧ値が「非アクティブ」に設定されていなければ、前記ＳＧプロセッサが前記スケジューリング許可の前記ＡＧ値に前記ＳＧを設定することを特徴とする請求項２８に記載のＷＴＲＵ。
【請求項３５】
前記ＡＧ値が「非アクティブ」に設定されていれば、スケジューリングモードを２次のＡＧモードに設定するように、前記ＳＧプロセッサを構成することを特徴とする請求項３４に記載のＷＴＲＵ。
【請求項３６】
送信時間間隔（ＴＴＩ）が１０ｍｓであるかまたは２ｍｓであるかを判断し、前記ＴＴＩが１０ｍｓであれば、全てのＨ‐ＡＲＱ処理をアクティブ化し、次のＴＴＩを待つように、前記ＳＧプロセッサを構成することを特徴とする請求項３４に記載のＷＴＲＵ。
【請求項３７】
前記ＡＧ値が「非アクティブ」に設定されていれば、前記ＴＴＩが２ｍｓのＴＴＩであるかまたは１０ｍｓの送信時間間隔（ＴＴＩ）であるかを判断し、前記ＴＴＩが２ｍｓであれば、アクティブ化フラグが「単一」に設定されているかまたは「全て」に設定されているかを判断し、前記アクティブ化フラグが「単一」に設定されていれば、対応するハイブリッド自動反復要求（Ｈ‐ＡＲＱ）処理をアクティブ化するように、前記ＳＧプロセッサを構成することを特徴とする請求項３６に記載のＷＴＲＵ。
【請求項３８】
前記アクティブ化フラグが「全て」に設定されているか、または前記ＴＴＩが１０ｍｓのＴＴＩであれば、２次のＥ‐ＤＣＨ無線ネットワーク暫定識別子（Ｅ‐ＲＮＴＩ）が構成されているかを判断し、前記２次のＥ‐ＲＮＴＩが構成されていなければ、全てのＨ‐ＡＲＱ処理を非アクティブ化するように、前記ＳＧプロセッサを構成することを特徴とする請求項３７に記載のＷＴＲＵ。
【請求項３９】
前記２次のＥ‐ＲＮＴＩが構成されていれば、最後に受信したＡＧ値に基づき前記ＳＧを設定し、全てのＨ‐ＡＲＱ処理をアクティブ化し、前記スケジューリングモードを２次のＡＧモードに設定するように、前記ＳＧプロセッサを構成することを特徴とする請求項３８に記載のＷＴＲＵ。
【請求項４０】
前記２次のＥ‐ＲＮＴＩが構成されていれば、現在のＳＧ値を維持し、全てのＨ‐ＡＲＱ処理をアクティブ化し、前記スケジューリングモードを２次のＡＧモードに設定するように、前記ＳＧプロセッサを構成することを特徴とする請求項３８に記載のＷＴＲＵ。
【請求項４１】
前記スケジューリング許可が１次のＡＧでなければ、スケジューリングモードが２次のＡＧモードであるかを判断し、前記スケジューリングモードが２次のＡＧモードであれば、前記スケジューリング許可のＡＧ値に前記ＳＧを設定するように、前記ＳＧプロセッサを構成することを特徴とする請求項２８に記載のＷＴＲＵ。
【請求項４２】
前記スケジューリングモードが２次のＡＧモードでなければ、前記スケジューリング許可のＡＧ値を蓄積するように、前記ＳＧプロセッサを構成することを特徴とする請求項４１に記載のＷＴＲＵ。
【請求項４３】
前記ＡＧ値が「非アクティブ」に設定されていれば、前記アクティブ化フラグが「単一」に設定されているかまたは「全て」に設定されているかを判断し、前記アクティブ化フラグが「単一」に設定されていれば、ＴＴＩが２ｍｓのＴＴＩであるかまたは１０ｍｓのＴＴＩであるかを判断し、ＴＴＩが２ｍｓのＴＴＩであれば、対応するハイブリッド自動反復要求（Ｈ‐ＡＲＱ）処理を非アクティブ化するように、前記ＳＧプロセッサを構成することを特徴とする請求項３４に記載のＷＴＲＵ。
【請求項４４】
前記アクティブ化フラグが「全て」に設定されていれば、２次のＥ‐ＤＣＨ無線ネットワーク暫定識別子（Ｅ‐ＲＮＴＩ）が構成されているかを判断し、前記２次のＥ‐ＲＮＴＩが構成されていなければ、ＴＴＩが２ｍｓのＴＴＩであるかまたは１０ｍｓのＴＴＩであるかを判断し、前記ＴＴＩが２ｍｓのＴＴＩであれば、全てのＨ‐ＡＲＱ処理を非アクティブ化するように、前記ＳＧプロセッサを構成することを特徴とする請求項４３に記載のＷＴＲＵ。
【請求項４５】
前記２次のＥ‐ＲＮＴＩが構成されていれば、最後に受信したＡＧ値に基づき前記ＳＧを設定し、全てのＨ‐ＡＲＱ処理をアクティブ化し、スケジューリングモードを２次のＡＧモードに設定するように、前記ＳＧプロセッサを構成することを特徴とする請求項４４に記載のＷＴＲＵ。
【請求項４６】
前記２次のＥ‐ＲＮＴＩが構成されていれば、現在のＳＧを維持し、全てのＨ‐ＡＲＱ処理をアクティブ化し、スケジューリングモードを２次のＡＧモードに設定するように、前記ＳＧプロセッサを構成することを特徴とする請求項４４に記載のＷＴＲＵ。
【請求項４７】
前記ＡＧ値が「非アクティブ」に設定されているかを判断し、前記ＡＧ値が「非アクティブ」に設定されていない場合にのみ、前記スケジューリングモードが２次のＡＧモードであるかを判断するように、前記ＳＧプロセッサを構成することを特徴とする請求項４１に記載のＷＴＲＵ。
【請求項４８】
無線送信／受信装置（ＷＴＲＵ）がノード‐Ｂから絶対的許可（ＡＧ）および相対的許可（ＲＧ）を受信するように拡張アップリンク（ＥＵ）をサポートする無線通信システムにおいて、ＷＴＲＵにおけるサービング許可（ＳＧ）処理をサポートするノード‐Ｂであって、前記ノード‐Ｂが、
ＷＴＲＵから速度要求を受信し、処理するように構成する速度要求プロセッサと、
ＷＴＲＵに１次のＡＧおよび２次のＡＧを送信することによりリソーススケジューリングを制御し、１次のＡＧモードでは特定のＷＴＲＵのみのためにリソーススケジューリングを制御し、２次のＡＧモードではＷＴＲＵグループのためにリソーススケジューリングを制御するように構成するノード‐Ｂスケジューラであって、１次のＡＧモードから２次のＡＧモードへスケジューリングモードを切り替える前に、２次のＡＧを送信するように構成するノード‐Ｂスケジューラと
を含むことを特徴とするノード‐Ｂ。
【請求項４９】
前記１次のＡＧモードから前記２次のＡＧモードへ前記スケジューリングモードを切り替える前に、古くなる２次のＡＧが存在するかを判断し、古くなる２次のＡＧが存在しない場合にのみ、前記スケジューリングモードを切り替えるように、前記ノード‐Ｂスケジューラを構成することを特徴とする請求項４８に記載のノード‐Ｂ。
【請求項５０】
時間閾値を実装することにより前記古くなる２次のＡＧの存在を判断するように、前記ノード‐Ｂスケジューラを構成することを特徴とする請求項４９に記載のノード‐Ｂ。
【請求項５１】
前記時間閾値が静的であることを特徴とする請求項５０に記載のノード‐Ｂ。
【請求項５２】
前記時間閾値を所定の要因に基づき動的に調整することを特徴とする請求項５０に記載のノード‐Ｂ。
【請求項５３】
前記所定の要因がトラフィック状態の変化速度、干渉状態の変動速度および車両速度の中の少なくとも１つを含むことを特徴とする請求項５２に記載のノード‐Ｂ。
【発明の詳細な説明】
【技術分野】
【０００１】
本発明は、無線通信システムに関する。より詳細には、本発明は、拡張アップリンク（ＥＵ）スケジューリング許可を処理する方法および装置に関する。
【背景技術】
【０００２】
拡張アップリンク（ＥＵ）は、第３世代パートナシッププロジェクト（３ＧＰＰ）システムにおける主な特徴の１つである。ＥＵは、５．７６Ｍｂｐｓの最大データ速度を提供する。ＥＵの動作をサポートするために、拡張個別チャネル（Ｅ‐ＤＣＨ）絶対的許可チャネル（Ｅ‐ＡＧＣＨ）およびＥ‐ＤＣＨ相対的許可チャネル（Ｅ‐ＲＧＣＨ）などの、制御情報を伝送する幾つかのダウンリンク物理チャネルが提供される。
【０００３】
図１は、ＥＵをサポートする従来の無線通信システム１００のブロック図である。システム１００は無線送信／受信装置（ＷＴＲＵ）１０２、ノード‐Ｂ１０４、およびＲＮＣ１０６を含む。初期送信電力レベル、最大許容送信電力または電力比、またはノード‐Ｂ当りの利用可能チャネルリソースなどの、ノード‐Ｂ１０４およびＷＴＲＵ１０２についてのＥ‐ＤＣＨパラメータを構成することにより、ＲＮＣ１０６はＥ‐ＤＣＨ動作全体を制御する。ＷＴＲＵ１０２とノード‐Ｂ１０４との間に、Ｅ‐ＤＣＨ１０８、Ｅ‐ＤＰＣＣＨ（Ｅ‐ＤＣＨ個別物理制御チャネル）１１０、Ｅ‐ＡＧＣＨ１１２、Ｅ‐ＲＧＣＨ１１４およびＥ‐ＨＩＣＨ（Ｅ‐ＤＣＨハイブリッド自動反復要求（Ｈ‐ＡＲＱ）指示チャネル）１１６が確立され、Ｅ‐ＤＣＨの動作をサポートする。
【０００４】
Ｅ‐ＤＣＨ伝送のために、ＷＴＲＵ１０２は、論理チャネルのためのスケジュール要求（速度要求としても知られる）を送信し、論理チャネルのために無線リソース制御装置（ＲＲＣ）は、Ｅ‐ＤＣＨ１０８を介してノード‐Ｂ１０４に報告を行う必要があるかを判断する。スケジュール情報およびハッピービットの形式でスケジュール要求を送信する。Ｅ‐ＤＰＣＣＨ１１０を送信する場合はいつでも、Ｅ‐ＤＰＣＣＨ１１０を介してハッピービットを送信する。ノード‐Ｂ１０４はＥ‐ＡＧＣＨ１１２またはＥ‐ＲＧＣＨ１１４を介してＷＴＲＵ１０２へスケジューリング許可(すなわち、絶対的許可（ＡＧ）または相対的許可（ＲＧ））を送信する。ＡＧをＥ‐ＤＣＨサービングセルにより送信し、ＲＧをＥ‐ＤＣＨサービング無線リンクセット（ＲＬＳ）またはＥ‐ＤＣＨ非サービング無線リンク（ＲＬ）のいずれかにより送信する。Ｅ‐ＤＣＨサービングセルは、ＷＴＲＵがノード‐ＢのスケジューラからＡＧを受信するセルである。ＷＴＲＵは１つのＥ‐ＤＣＨサービングセルを有する。Ｅ‐ＤＣＨサービングＲＬＳは、少なくともＥ‐ＤＣＨサービングセルを含み、ＷＴＲＵがＡＧを受信するであろうセルのセットである。ＷＴＲＵはただ１つのサービングＲＬＳを有する。非サービングＲＬは、Ｅ‐ＤＣＨのアクティブセットに属するが、サービングＲＬＳに属さず、ＷＴＲＵがＲＧを受信することができるセルである。ＷＴＲＵは、ゼロ、１、またはいくつかの非サービングＲＬを有することができる。
【０００５】
Ｅ‐ＤＣＨ無線リソースをＷＴＲＵ１０２に割り当てた後、ＷＴＲＵ１０２は、Ｅ‐ＤＣＨ１０８を介してアップリンクデータを送信する。Ｅ‐ＤＣＨ１０８またはＥ‐ＤＰＣＣＨ１１０の送信に応答して、ノード‐Ｂ１０４は、Ｅ‐ＨＩＣＨ１１６を介してＨ‐ＡＲＱ動作のための確認応答（ＡＣＫ）メッセージまたは非確認応答（ＮＡＣＫ）メッセージを送信する。
【０００６】
Ｅ‐ＡＧＣＨ１１２は、ＡＧ値およびアクティブ化フラグを含むＡＧを搬送する。ＷＴＲＵに対する最大電力比の形式で、ＡＧ値は提供される。個別物理制御チャネル（ＤＰＣＣＨ）電力に対するＥ‐ＤＣＨ個別物理データチャネル（Ｅ‐ＤＰＤＣＨ）の比により、最大電力比が与えられる。アクティブ化フラグを使用して、Ｈ‐ＡＲＱ処理をアクティブ化または非アクティブ化する。アクティブ化フラグを「単一（ＳＩＮＧＬＥ）」または「全て（ＡＬＬ）」のいずれかに設定することができる。アクティブ化フラグを「単一」に設定すると、単一のＨ‐ＡＲＱ処理をアクティブ化または非アクティブ化する。アクティブ化フラグを「全て」に設定すると、全てのＨ‐ＡＲＱ処理をアクティブ化または非アクティブ化する。
【０００７】
Ｅ‐ＲＧＣＨ１１４はＲＧを搬送する。ＲＧは絶対的許可を調整する電力(または電力比)増大または削減コマンドを示す。サービングＲＬＳはアップ（ＵＰ）コマンド、ダウン（ＤＯＷＮ）コマンドまたはホールド（ＨＯＬＤ）コマンドを送信することができ、非サービングＲＬはダウンコマンドまたはホールドコマンドを送信することができる。アップコマンド、ダウンコマンドまたはホールドコマンドは、データのスケジュール送信のためのＷＴＲＵの最大許容電力比の増加、減少、または無変更をそれぞれ示す。種々の非サービングＲＬからのコマンドは独立であり、互いに異なりうる。Ｅ‐ＤＣＨ非サービングＲＬは、データトラフィックのシステム過負荷を防ぎ、セル内およびセル間干渉を要求レベルに維持するためにＲＧを送信する。
【０００８】
ネットワークはＥ‐ＡＧＣＨ、Ｅ‐ＲＧＣＨ、またはその両方を介して単一のＷＴＲＵまたはＷＴＲＵグループを制御することができる。１次のＡＧモードにある場合、ノード‐ＢはＥ‐ＡＧＣＨを介して特定のＷＴＲＵのみのためにリソーススケジュールを制御する。２次のＡＧモードにある場合、ノード‐Ｂは、Ｅ‐ＡＧＣＨを介してＷＴＲＵグループのためにリソーススケジュールを制御する。Ｅ‐ＡＧＣＨをＥ‐ＤＣＨ無線ネットワーク暫定識別子（Ｅ‐ＲＮＴＩ：E-DCH radio network temporary identifier）と共に送信する。ＷＴＲＵのために、一度に２つのＥ‐ＲＮＴＩを構成することができる。１つは１次のＥ‐ＲＮＴＩであり、もう１つは２次のＥ‐ＲＮＴＩである。一度に１つのＥ‐ＲＮＴＩのみを無線送信することができる。ＷＴＲＵを２つのＥ‐ＲＮＴＩにより構成すれば、ＷＴＲＵは２つのＥ‐ＲＮＴＩを監視しなければならない。
【発明の開示】
【発明が解決しようとする課題】
【０００９】
受信したＡＧおよびＲＧに基づき、ＷＴＲＵはサービング許可（ＳＧ）を計算し、設定する。Ｅ‐ＡＧＣＨ１１２およびＥ‐ＲＧＣＨ１１４を検出、復号化することに成功し、ＳＧを適切に設定することは、システム性能および拡張アップリンク（ＥＵ）の性能にとり重要である。それ故、ＡＧおよびＲＧを効率的に検出、および復号化し、ＳＧを処理する方法および装置を有することが望ましい。
【課題を解決するための手段】
【００１０】
本発明は、ＥＵのスケジューリング許可を処理する方法および装置に関する。ＷＴＲＵは少なくとも１つのＡＧまたはＲＧを含むスケジューリング許可を検出する。一旦、ＷＴＲＵがＡＧまたはＲＧを検出すると、新規ＳＧが生成され、そして、受信したＡＧが１次のＡＧかまたは２次のＡＧか、スケジューリングモードが１次のＡＧモードかまたは２次のＡＧモードか、ＡＧ値が「非アクティブ」に設定されているか、および送信時間間隔（ＴＴＩ）が２ｍｓかまたは１０ｍｓであるかに応じて、Ｈ‐ＡＲＱ処理をアクティブ化するかまたは非アクティブ化することができる。ノード‐Ｂは、ＷＴＲＵに１次のＡＧかまたは２次のＡＧのいずれかを送信することができる。
【００１１】
一例として付与され、添付する図面と共に理解すべき以下の説明から、本発明のより詳細な理解を得ることができる。
【発明を実施するための最良の形態】
【００１２】
以後参照する場合、用語「ＷＴＲＵ」はユーザ機器（ＵＥ）、移動局、固定式または移動式加入者装置、ページャ、または無線環境において動作することのできるその他の任意のタイプのデバイスを含むが、これらに限定されない。以後参照する場合、用語「ノード‐Ｂ」は基地局、サイトコントローラ、アクセスポイント（ＡＰ）または無線環境における任意のその他のタイプのインタフェースデバイスを含むが、これらに限定されない。
【００１３】
本発明の特徴を集積回路（ＩＣ）に組み込むか、または多数の相互接続構成要素を含む回路において構成することができる。
【００１４】
図２は、本発明により構成されるＷＴＲＵ２００の例示的なブロック図である。ＷＴＲＵ２００は、Ｅ‐ＡＧＣＨ復号化器２０２、Ｅ‐ＲＧＣＨ復号化器２０４、およびＳＧプロセッサ２０６を含む。ＡＧ２０５ａを検出するために、Ｅ‐ＡＧＣＨ復号化器２０２はサービングＲＬＳからＥ‐ＡＧＣＨ信号２０１ａを受信し、当該受信したＥ‐ＡＧＣＨ信号２０１ａを復号化する。検出したＡＧ２０５ａをＳＧプロセッサ２０６に送信する。サービングＲＬＳからのＲＧ２０５ｂおよび１以上の非サービングＲＬからのＲＧ２０５ｃをそれぞれ検出するために、Ｅ‐ＲＧＣＨ復号化器２０４は、サービングＲＬＳからＥ‐ＲＧＣＨ信号２０１ｂおよび１以上の非サービングＲＬからＥ‐ＲＧＣＨ信号２０１ｃをそれぞれ受信し、復号化する。検出したＲＧ２０５ｂ、ＲＧ２０５ｃをＳＧプロセッサ２０６に送信する。Ｅ‐ＡＧＣＨ復号化器２０２は、１次のＥ‐ＲＮＴＩか、または２次のＥ‐ＲＮＴＩと共にＡＧ２０５ａを受信したか否かをＳＧプロセッサ２０６に対して知らせる。Ｅ‐ＡＧＣＨ復号化器２０２およびＥ‐ＲＧＣＨ復号化器２０４は、スケジューリング許可（すなわち、ＡＧ２０５ａまたはＲＧ２０５ｂ、ＲＧ２０５ｃ）をどのサブフレームで受信したかについても知らせる。
【００１５】
ＳＧプロセッサ２０６は、ＡＧおよび／またはＲＧに基づき現在のＳＧを生成する。ＳＧプロセッサ２０６は、第１のＳＧ計算器２０８、第２のＳＧ計算器２１０、およびコントローラ２１２を含む。第１のＳＧ計算器２０８は、ＡＧ２０５ａおよびサービングＲＬＳからのＲＧ２０５ｂを受信し、第１のＳＧ候補２０９ａを計算する。第２のＳＧ計算器２１０は、一以上の非サービングＲＬからの少なくとも１つのＲＧ２０５ｃを受信し、第２のＳＧ候補２０９ｂを計算する。コントローラ２１２は、第１のＳＧ候補２０９ａおよび／または第２のＳＧ候補２０９ｂに基づき新規ＳＧ２１３を出力する。
【００１６】
ＷＴＲＵ２００がアイドル状態にある場合に、電力節約のためにＳＧプロセッサ２０６を一時的に電力ＯＦＦにすることができる。最後に受信した２次のＡＧおよび１次のＡＧがメモリ（図２に図示せず）に蓄積され、ＷＴＲＵ２００がアクティブ化され、送信データを有する場合に、ＳＧの処理を再開する。ＳＧの処理の再開後、蓄積した最後に受信した２次のＡＧおよび１次のＡＧをＳＧプロセッサ２０６により処理し、新規ＳＧ２１３を生成する。
【００１７】
スケジューリング許可プロセッサ２０６は、スケジュールデータ個別チャネルの媒体アクセス制御（ＭＡＣ‐ｄ）のフローのためのトランスポートフォーマットコンビネーション（ＴＦＣ）選択および多重化装置（図示せず）により使用することができる電力量を提供する。これをＤＰＣＣＨ電力に対する比として特定することができる。あるいはＴＦＣ選択および多重化装置がＤＰＣＣＨ電力の計測結果を知ることを回避するために、これをスケジュールデータに使用することができる最大送信電力により特定することができる。他のスケジューリング関係エンティティが現在のＤＰＣＣＨ電力を知る必要がないので、後者の方法が好ましい。
【００１８】
図３は、本発明によりＳＧを処理する処理３００のフローチャートである。ＷＴＲＵはサービングＲＬＳおよび少なくとも１つの非サービングＲＬからのスケジューリング許可（すなわち、ＡＧおよびＲＧ）を監視する（ステップ３０２）。次いで、サービングＲＬＳから受信するＡＧまたはＲＧがあるかを判断する（ステップ３０４）。サービングＲＬＳから受信するＡＧまたはＲＧがあれば、サービングＲＬＳから着信するＡＧおよび／またはＲＧに基づき第１のＳＧ候補が計算される（ステップ３０６）。次いで、１以上の非サービングＲＬから受信するダウンコマンドがあるかを判断する（ステップ３０８）。１以上の非サービングＲＬからダウンコマンドを受信しなければ、新規ＳＧを第１のＳＧ候補に設定し（ステップ３１０）、処理３００はステップ３２２において次の送信時間間隔（ＴＴＩ）を待ち、その後ステップ３０４に進む。１以上の非サービングＲＬから受信するダウンコマンドがあれば、当該受信したダウンコマンドおよび前のＳＧに基づき第２のＳＧ候補を計算する（ステップ３１２）。次いで、新規ＳＧを第１のＳＧ候補および第２のＳＧ候補の中の最小のものに設定し（ステップ３１４）、処理３００はステップ３２２において次のＴＴＩを待ち、その後ステップ３０４に進む。新規ＳＧを第１のＳＧ候補および第２のＳＧ候補の中の最小値に設定できるのは、サービングセルがＲＧのダウンステップサイズより多くスケジュール許可を削減することができるからである。
【００１９】
ステップ３０４でサービングＲＬＳから受信するＡＧまたはＲＧがないと判断すれば、１以上の非サービングＲＬから受信するダウンコマンドがあるかをさらに判断する（ステップ３１６）。非サービングＲＬから受信するダウンコマンドがなければ、処理３００はステップ３０２に戻り、スケジューリング許可を監視する。非サービングＲＬから受信するダウンコマンドがあれば、ダウンコマンドおよび前のＳＧに基づき第２のＳＧ候補を計算する（ステップ３１８）。次いで、新規ＳＧを第２のＳＧ候補に設定し（ステップ３２０）、処理３００はステップ３２２において次のＴＴＩを待ち、その後ステップ３０４に進む。
【００２０】
図４Ａおよび図４Ｂは、共に本発明の一実施形態によりサービングＲＬＳからのスケジューリング許可に基づきＳＧを生成する処理４００のフローチャートである。サービングＲＬＳからのスケジューリング許可を検出する（ステップ４０２）。そして、ＡＧを検出するかを判断する（ステップ４０４）。ＡＧを検出すると判断すれば、新規ＳＧを生成し、および／または受信したＡＧが１次のＡＧかまたは２次のＡＧか、スケジューリングモードが１次のＡＧモードかまたは２次のＡＧモードか、ＡＧの値が「非アクティブ」に設定されているか、およびＴＴＩが２ｍｓまたは１０ｍｓかに応じて、Ｈ‐ＡＲＱ処理はアクティブまたは非アクティブになることができる。
【００２１】
ＡＧは１次のＡＧかまたは２次のＡＧのいずれかでありうる。１次のＡＧは１次のＥ‐ＲＮＴＩと共に受信するＡＧであり、２次のＡＧは２次のＥ‐ＲＮＴＩと共に受信するＡＧである。１次のＡＧは現在のＳＧを常に再設定（reset）する。ＷＴＲＵが２次のＡＧモードにある場合にのみ、２次のＡＧは現在のＳＧを再設定する。１）１０ｍｓのＴＴＩに対し直近の１次のＡＧのＡＧ値が「非アクティブ」に設定されており、２）２ｍｓのＴＴＩに対し直近の１次のＡＧのＡＧ値が「非アクティブ」に設定されており、処理アクティブ化フラグが「全て」（それ故、スケジューリングモードは２次のＡＧモードに遷移する）に設定されていたとすれば、ＷＴＲＵを２次のＡＧモードに切り替える。ＳＧに影響を及ぼした最後のＡＧが２次のＡＧであったとすれば、ＷＴＲＵは既に２次のＡＧモードにある。
【００２２】
１次のＡＧモードは、１次のＡＧおよびＲＧのみがＳＧに影響を及ぼす（即ち、２次のＡＧはＳＧに影響を及ぼさない）スケジューリングモードである。２次のＡＧモードは、１次のＡＧ、２次のＡＧおよびＲＧの全てがＳＧに影響を及ぼすことのできるスケジューリングモードである。１次のＡＧモードにある場合１次のＥ‐ＲＮＴＩを使用して、ノード‐Ｂは特定のＷＴＲＵのみのリソーススケジュールを制御する。２次のＡＧモードにある場合２次のＥ‐ＲＮＴＩを使用して、ノード‐ＢはＷＴＲＵグループのリソーススケジュールを制御する。ＡＧ値を「非アクティブ」に設定している１次のＡＧは１次のＡＧモードから２次のＡＧモードへの遷移を起動する。
【００２３】
ステップ４０４でＡＧを検出しないと判断すれば、スケジューリングモードが１次のＡＧモードであるかをさらに判断する（ステップ４０６）。スケジューリングモードが１次のＡＧモードでなければ（即ち、スケジューリングモードは２次のＡＧモードである）、処理４００はステップ４４６に進み、次のＴＴＩを待つ。スケジューリングモードが１次のＡＧモードであれば、受信したＲＧ（サービングＲＬＳからＲＧを受信すると仮定する）および同一のＨ‐ＡＲＱの処理のために前のＴＴＩにおいて生成したＳＧに基づき、ＳＧを設定する（ステップ４０８）。ＲＧに影響を及ぼす送信と同じＨ‐ＡＲＱの処理のための前のＴＴＩの電力比に対して、サービングＲＬＳから受信するＲＧを解釈する。ＲＧがアップコマンドを示せば、その場合所定のステップサイズだけ前の電力比を増加させることによりＳＧを得る。ＲＧがダウンコマンドを示せば、所定のステップサイズだけ前の電力比を減少させることによりＳＧを得る。ＲＧがホールドコマンドを示せば、ＳＧは変更なしのままである。
【００２４】
ステップ４０４でＡＧを検出すると判断すれば、ＡＧが１次のＡＧかまたは２次のＡＧかをさらに判断する（ステップ４１０）。ＡＧが１次のＡＧであれば、スケジューリングモードを１次のＡＧモードに設定する（ステップ４１２）。次いで、検出されたＡＧのＡＧ値が「非アクティブ」に設定されているかをさらに判断する（ステップ４１４）。ＡＧ値が「非アクティブ」に設定されていなければ（即ち、ＡＧ値がゼロでない値に設定されている）、ＳＧを受信したＡＧ値に更新する（ステップ４１６）。次いで、ＴＴＩが２ｍｓであるかまたは１０ｍｓであるかを判断する（ステップ４１８）。ＴＴＩが１０ｍｓであれば、全てのＨ‐ＡＲＱ処理をアクティブ化し（ステップ４２４）、処理４００はステップ４４６に進み、次のＴＴＩを待つ。
【００２５】
ＴＴＩが２ｍｓであれば、アクティブ化フラグが「単一（ＳＩＮＧＬＥ）」に設定されているかまたは「全て（ＡＬＬ）」に設定されているかをさらに判断する（ステップ４２０）。アクティブ化フラグが「単一」に設定されていれば、特定のＨ‐ＡＲＱ処理をアクティブ化する（即ち、特定のＨ‐ＡＲＱ処理が非アクティブであれば、Ｈ‐ＡＲＱ処理はアクティブになり、Ｈ‐ＡＲＱ処理がアクティブであれば、Ｈ‐ＡＲＱ処理はアクティブのままである）（ステップ４２２）。アクティブ化フラグが「全て」に設定されていれば、全てのＨ‐ＡＲＱ処理をアクティブ化する（即ち、非アクティブＨ‐ＡＲＱ処理はアクティブになり、アクティブなＨ‐ＡＲＱ処理はアクティブのままである）（ステップ４２４）。アクティブな処理はスケジュール化データを送信することができるＨ‐ＡＲＱ処理であり、非アクティブな処理は非スケジュール化データを送信することができるＨ‐ＡＲＱ処理である。
【００２６】
ステップ４１４で受信したＡＧのＡＧ値が「非アクティブ」に設定されていると判断すれば、ＴＴＩが２ｍｓのＴＴＩであるかまたは１０ｍｓのＴＴＩであるかをさらに判断する（ステップ４２５）。ＴＴＩが２ｍｓのＴＴＩであれば、アクティブ化フラグが「単一」に設定されているかまたは「全て」に設定されているかをさらに判断する（ステップ４２６）。アクティブ化フラグが「単一」に設定されていれば、特定のＨ‐ＡＲＱ処理のみが非アクティブになる（ステップ４２８）。アクティブ化フラグが「全て」に設定されていれば、２次のＥ‐ＲＮＴＩが構成されているかをさらに判断する（ステップ４３０）。ステップ４２５でＴＴＩが１０ｍｓのＴＴＩであると判断すれば、処理４００はステップ４３０に進む。２次のＥ‐ＲＮＴＩが構成されていなければ、全てのＨ‐ＡＲＱ処理を非アクティブ化する（ステップ４３２）。２次のＥ‐ＲＮＴＩが構成されていれば、現在のＳＧを最後に受信したＡＧ値に更新することができる（ステップ４３４）（これを図５Ａ乃至図５Ｃの参照により詳細に説明する）。あるいはＳＧ値を変更しなくてもよく、前のＳＧ値は同じままとすることができる。このような場合、ステップ４３４はバイパスされ、処理４００はステップ４３６に進む。次いで、全てのＨ‐ＡＲＱ処理をアクティブ化し、スケジューリングモードを２次のＡＧモードに設定する（ステップ４３６、ステップ４３８）。
【００２７】
ステップ４１０でＡＧが１次のＡＧではないと判断すれば（即ち、ＡＧは２次のＡＧである）、スケジューリングモードが２次のＡＧモードであるかをさらに判断する（ステップ４４０）。スケジューリングモードが２次のＡＧモードであれば（それ故、２次のＡＧは現在のＳＧに影響を及ぼすことができる)、現在のＳＧを受信したＡＧのＡＧ値に基づき設定する（ステップ４４２）。スケジューリングモードが２次のＡＧモードでなければ（それ故、２次のＡＧは現在のＳＧに影響を及ぼすことができない)、受信したＡＧのＡＧ値をメモリに蓄積し、後に使用することができる（これを図５Ａ乃至図５Ｃの参照により詳細に説明する）（ステップ４４４）。
【００２８】
図５Ａ乃至図５Ｃは、本発明による１次のＡＧおよび２次のＡＧによる例示的なノード‐Ｂのスケジューリングを示す図である。ノード‐Ｂは、ＷＴＲＵに１次のＡＧまたは２次のＡＧのいずれかを送信する。スケジューリング許可モードは１次のＡＧモードと２次のＡＧモードとの間で切り替わる。１次のＡＧは現在のＳＧを常に再設定する。現在のスケジューリングモードを２次のＡＧモードに設定している（即ち、直近の１次のＡＧが２次のＡＧモードへの遷移を起動する場合）か、またはＳＧに影響を及ぼす最後のＡＧが２次のＡＧであったとすれば、２次のＡＧは現在のＳＧに影響を及ぼすのみである。以後、初期状態は１次のＡＧモードであると仮定する。とはいえ本発明は、初期構成が２次のＡＧモードにある場合にも等しく適用することができる。
【００２９】
図５Ａを参照すると、まずノード‐Ｂは２次のＡＧ５０２を送信する。現在のスケジューリングモードが１次のＡＧモードであるので、受信した２次のＡＧ５０２のＡＧ値を蓄積する。次のＡＧは「非アクティブ」に設定したＡＧ値を有する１次のＡＧ５０４である。下向きの矢印５２２が示すように、これは１次のＡＧモードから２次のＡＧモードへの遷移を起動する。
【００３０】
スケジューリングモードが１次のＡＧモードから２次のＡＧモードへ切り替わると、スケジューリングモード切り替えの遷移期間中、ＳＧは前のＳＧと同じままであることができ、次のＡＧ（この場合ＡＧ５０６）を受信すると、ＳＧを更新する。あるいはＳＧの更新遅延を回避するためにスケジューリングモード切り替えの遷移期間中、ＳＧを、最後に受信し、蓄積した２次のＡＧ値（この場合ＡＧ５０２）に設定することができる。
【００３１】
次の２つのＡＧ５０６、５０８は２次のＡＧであり、ＳＧをそれぞれ２次のＡＧ５０６、５０８のＡＧ値により更新する。次のＡＧは１次のＡＧ５１０である。２次のＡＧモードにある間に１次のＡＧを受信すると、上向きの矢印５２４が示すように１次のＡＧモードへの帰還遷移を起動する。
【００３２】
２つの１次のＡＧを送信後、「非アクティブ」に設定したＡＧ値を有する１次のＡＧ５１２を受信する。下向きの矢印５２６が示すように、これはスケジューリングモードの２次のＡＧモードへの帰還切り替えを起動し、ＳＧは同じままとすることができ、次の２次のＡＧ（この場合ＡＧ５１３）を受信すると、ＳＧを更新する。あるいはＳＧの更新遅延を回避するためにスケジューリングモードの切り替え遷移期間中に、最後の２次のＡＧ（この例では、ＡＧ５０８）によりＳＧを更新することができる。
【００３３】
起こりうる問題は、システムが余り長い間１次のＡＧモードに留まると直近に蓄積した２次のＡＧ値が古くなりうることである。例えばＷＴＲＵが１次のＡＧ５１６を受信する場合、システムは６ＴＴＩの間、１次のＡＧモードに留まっており、直近の２次のＡＧ５１４は古くなりうる。
【００３４】
図５Ｂは、本発明による１次のＡＧおよび２次のＡＧによる別の例示的なノード‐Ｂのスケジューリングを示す。この実施形態では２次のＡＧモードへの切り替えの直前に、ノード‐Ｂは２次のＡＧを送信する。図５Ｂで、１次のＡＧ５１６の送信直前にノード‐Ｂが２次のＡＧ５２０を送信することを除いて、ＡＧの送信シーケンスは図５Ａの場合と同じである。１次のＡＧ５１８を受信すると、上向きの矢印５２８が示すようにスケジューリングモードは２次のＡＧモードから１次のＡＧモードへ切り替わっている。２次のＡＧモードへのスケジューリングモードの切り替え直前（即ち、「非アクティブ」に設定したＡＧ値を有する１次のＡＧ５１６の送信直前）に、ノード‐Ｂは２次のＡＧ５２０を送信する。２次のＡＧ５２０のＡＧ値は蓄積され、１次のＡＧ５１６を受信すると下向きの矢印５３０が示すように、スケジューリングモードを２次のＡＧモードへ切り替える場合に使用される。この方式により、２次のＡＧが古くなるのを回避することができる。
【００３５】
あるいは図５Ｃに示すように古くなる問題を検出するために、ノード‐Ｂは時間閾値を使用することができる。１次のＡＧモードから２次のＡＧモードへスケジューリングモードを切り替える直前に、ノード‐Ｂは古くなる状況が存在する（即ち、切り替え点からの時間閾値内に送信した２次のＡＧがあった）かを判断する。時間閾値中に送信した２次のＡＧがあったとすれば、２次のＡＧ５２０を送信することなく、ノード‐Ｂは１次のＡＧ５１６を送信する。一方、時間期間中に送信した２次のＡＧがなかったとすれば（図５Ｃに示すように）１次のＡＧ５１６を送信する前に、ノード‐Ｂは２次のＡＧ５２０を送信する。
【００３６】
時間閾値を静的な値として実装することができる。あるいは、トラフィック状態の変化速度、干渉状態の変動速度、車両速度などを含むが、これらに限定しない幾つかの要因に応じて、時間閾値を半静的にまたは動的に調整することができる。トラフィック状態または干渉状態が急速に変化すれば、時間閾値を環境の変化を反映するように調整する。
【００３７】
図６は、本発明により構成されるノード‐Ｂ６００のブロック図である。ノード‐Ｂ６００は、スケジューリング要求プロセッサ６０２およびノード‐Ｂスケジューラ６０４を含む。スケジューリング要求プロセッサ６０２は、ＷＴＲＵから受信するスケジューリング情報を受信し、処理するように構成される。ノード‐Ｂスケジューラ６０４は、ＷＴＲＵに１次のＡＧおよび２次のＡＧを送信することによりリソーススケジューリングを制御するように構成される。ノード‐Ｂスケジューラ６０４は、１次のＡＧモードでは特定のＷＴＲＵのみのためにリソーススケジューリングを制御し、２次のＡＧモードではＷＴＲＵグループのためにリソーススケジューリングを制御する。
【００３８】
ＷＴＲＵにおけるスケジューリングモードの切り替えの遷移期間において、最後に受信し、蓄積した２次のＡＧ値にＳＧを設定する場合には、本明細書で以上に説明したように１次のＡＧモードから２次のＡＧモードへスケジューリングモードを切り替える前に、ノード‐Ｂスケジューラ６０４は２次のＡＧを送信する。１次のＡＧモードから２次のＡＧモードへスケジューリングモードを切り替える前に、ノード‐Ｂスケジューラ６０４は古くなる２次のＡＧが存在するかを判断し、古くなる２次のＡＧが存在しない場合にのみ、スケジューリングモードを切り替える。静的であるか、または所定の要因に基づき動的に調整することができる時間閾値を実装することにより、ノード‐Ｂスケジューラ６０４は古くなる２次のＡＧの存在を判断する。
【００３９】
図７Ａおよび図７Ｂは、共に本発明の別の実施形態によるサービングＲＬＳからのスケジューリング許可に基づきＳＧを生成する処理７００のフローチャートである。ステップ７０２乃至７２４は図４Ａ、Ｂのステップ４０２乃至４２４と同一であり、それ故本明細書では説明を繰り返さないこととする。ステップ７１４で受信したＡＧのＡＧ値が「非アクティブ」に設定されていると判断すれば、アクティブ化フラグが「単一」に設定されているかまたは「全て」に設定されているかをさらに判断する（ステップ７２６）。アクティブ化フラグが「単一」に設定されていれば、ＴＴＩが２ｍｓのＴＴＩであるかまたは１０ｍｓのＴＴＩであるかをさらに判断する（ステップ７２８）。ＴＴＩが２ｍｓのＴＴＩであれば、特定のＨ‐ＡＲＱ処理のみが非アクティブになる（ステップ７３０）。ＴＴＩが１０ｍｓのＴＴＩであれば変更はなく、処理７００はステップ７５２に進み、次のＴＴＩを待つ。
【００４０】
ステップ７２６でアクティブ化フラグが「全て」に設定されていると判断すれば、２次のＥ‐ＲＮＴＩが構成されているかをさらに判断する（ステップ７３２）。２次のＥ‐ＲＮＴＩが構成されていなければ、ＴＴＩが２ｍｓのＴＴＩであるかまたは１０ｍｓのＴＴＩであるかをさらに判断する（ステップ７３４）。ＴＴＩが２ｍｓのＴＴＩであれば、全てのＨ‐ＡＲＱ処理を非アクティブ化する（ステップ７３６）。ＴＴＩが１０ｍｓのＴＴＩであれば変更はなく、処理７００はステップ７５２に進み、次のＴＴＩを待つ。
【００４１】
ステップ７３２で２次のＥ‐ＲＮＴＩが構成されていると判断すれば、（図５Ａ乃至図５Ｃの参照により説明したように）現在のＳＧを最後に受信したＡＧ値に更新することができる（ステップ７３８）。あるいはＳＧ値を変更しなくてもよく、前のＳＧ値は同じままとすることができる。このような場合、ステップ７３８はバイパスされ、処理７００はステップ７４０に進む。次いで、全てのＨ‐ＡＲＱ処理をアクティブ化し、スケジューリングモードを２次のＡＧモードに設定する（ステップ７４０、ステップ７４２）。
【００４２】
ステップ７１０でＡＧが１次のＡＧではないと判断すれば（即ち、ＡＧは２次のＡＧである）、ＡＧ値が「非アクティブ」に設定されているかをさらに判断する（ステップ７４４）。ＡＧ値が「非アクティブ」に設定されていなければ、スケジューリングモードが２次のＡＧモードであるかをさらに判断する（ステップ７４６）。スケジューリングモードが２次のＡＧモードであれば（それ故、２次のＡＧモードは現在のＳＧに影響を及ぼすことができる）、現在のＳＧを受信したＡＧのＡＧ値に基づき設定する（ステップ７４８）。スケジューリングモードが２次のＡＧモードでなければ（それ故、２次のＡＧモードは現在のＳＧに影響を及ぼすことができない）、受信したＡＧのＡＧ値をメモリに蓄積し、後に使用することができる（図５Ａ乃至図５Ｃの参照により詳細に説明したように）（ステップ７５０）。
【００４３】
実施形態
１．無線通信システムにおいてＳＧを生成する方法であって、無線通信システムはＥＵをサポートし、ＷＴＲＵがＥ‐ＡＧＣＨを介してサービングＲＬＳからＡＧを受信し、Ｅ‐ＲＧＣＨを介してサービングＲＬＳおよび非サービングＲＬからＲＧを受信するようにする方法。
【００４４】
２．ＡＧおよびＲＧを含むスケジューリング許可を検出するステップを含む実施形態１に記載の方法。
【００４５】
３．スケジューリング許可がＡＧであるかを判断するステップを含む実施形態２に記載の方法。
【００４６】
４．スケジューリング許可がＡＧであれば、スケジューリング許可が１次のＡＧであるかまたは２次のＡＧであるかを判断するステップを含む実施形態３に記載の方法。
【００４７】
５．スケジューリング許可が１次のＡＧであれば、スケジューリング許可が搬送するＡＧ値によりＳＧを更新するステップを含む実施形態４に記載の方法。
【００４８】
６．スケジューリング許可がＡＧでなければ、スケジューリングモードが１次のＡＧモードであるかを判断するステップを含む実施形態３乃至５のいずれかに記載の方法。
【００４９】
７．スケジューリングモードが１次のＡＧモードでなければ、次のＴＴＩを待つステップを含む実施形態４乃至６のいずれかに記載の方法。
【００５０】
８．スケジューリングモードが１次のＡＧモードであれば、受信したＲＧに基づきＳＧを更新するステップを含む実施形態４乃至６のいずれかに記載の方法。
【００５１】
９．同一のＨ‐ＡＲＱ処理のために、前のＴＴＩの電力比に対してＲＧを解釈する実施形態１乃至８のいずれかに記載の方法。
【００５２】
１０．ＲＧがアップコマンド、ダウンコマンドおよびホールドコマンドの中の１つのコマンドを示し、ＲＧがアップコマンドを示せば所定のステップサイズだけ前のＳＧを増加させることによりＳＧを生成し、ＲＧがダウンコマンドを示せば所定のステップサイズだけ前のＳＧを減少させることによりＳＧを生成し、ＲＧがホールドコマンドを示せば前のＳＧは変更なしのままである実施形態１乃至９のいずれかに記載の方法。
【００５３】
１１．スケジューリング許可が１次のＡＧであれば、スケジューリングモードを１次のＡＧモードに設定するステップを含む実施形態４乃至１０のいずれかに記載の方法。
【００５４】
１２．スケジューリング許可のＡＧ値が「非アクティブ」に設定されているかを判断し、ＡＧ値が「非アクティブ」に設定されていなければ、スケジューリング許可のＡＧ値にＳＧを設定するステップを含む実施形態５乃至１１のいずれかに記載の方法。
【００５５】
１３．ＡＧ値が「非アクティブ」に設定されていれば、スケジューリングモードを２次のＡＧモードに設定するステップを含む実施形態１２に記載の方法。
【００５６】
１４．ＴＴＩが１０ｍｓであるかまたは２ｍｓであるかを判断するステップを含む実施形態１３に記載の方法。
【００５７】
１５．ＴＴＩが１０ｍｓであれば、全てのＨ‐ＡＲＱ処理をアクティブ化し、次のＴＴＩを待つステップを含む実施形態１４に記載の方法。
【００５８】
１６．ＴＴＩが２ｍｓであれば、アクティブ化フラグが「単一」に設定されているかまたは「全て」に設定されているかを判断するステップを含む実施形態１４に記載の方法。
【００５９】
１７．アクティブ化フラグが「単一」に設定されていれば、対応するＨ‐ＡＲＱ処理をアクティブ化するステップを含む実施形態１６に記載の方法。
【００６０】
１８．アクティブ化フラグが「全て」に設定されていれば、全てのＨ‐ＡＲＱ処理をアクティブ化するステップを含む実施形態１７に記載の方法。
【００６１】
１９．ＡＧ値が「非アクティブ」に設定されていれば、ＴＴＩが２ｍｓのＴＴＩであるかまたは１０ｍｓのＴＴＩであるかを判断するステップを含む実施形態１２乃至１８のいずれかに記載の方法。
【００６２】
２０．ＴＴＩが２ｍｓのＴＴＩであれば、アクティブ化フラグが「単一」に設定されているかまたは「全て」に設定されているかを判断するステップを含む実施形態１９に記載の方法。
【００６３】
２１．アクティブ化フラグが「単一」に設定されていれば、対応するＨ‐ＡＲＱ処理を非アクティブ化するステップを含む実施形態２０に記載の方法。
【００６４】
２２．アクティブ化フラグが「全て」に設定されているか、またはＴＴＩが１０ｍｓのＴＴＩであるかのいずれかであれば、２次のＥ‐ＤＣＨ  Ｅ‐ＲＮＴＩが構成されているかを判断するステップを含む実施形態２０乃至２１のいずれかに記載の方法。
【００６５】
２３．２次のＥ‐ＲＮＴＩが構成されていなければ、全てのＨ‐ＡＲＱ処理を非アクティブ化するステップを含む実施形態２２に記載の方法。
【００６６】
２４．２次のＥ‐ＲＮＴＩが構成されていれば、最後に受信したＡＧ値に基づきＳＧ値を設定するステップを含む実施形態２２乃至２３のいずれかに記載の方法。
【００６７】
２５．全てのＨ‐ＡＲＱ処理をアクティブ化するステップを含む実施形態２４に記載の方法。
【００６８】
２６．スケジューリングモードを２次のＡＧモードに設定するステップを含む実施形態２５に記載の方法。
【００６９】
２７．２次のＥ‐ＲＮＴＩが構成されていれば、現在のＳＧ値を維持するステップを含む実施形態２２乃至２３のいずれかに記載の方法。
【００７０】
２８．全てのＨ‐ＡＲＱ処理をアクティブ化するステップを含む実施形態２７に記載の方法。
【００７１】
２９．スケジューリングモードを２次のＡＧモードに設定するステップを含む実施形態２８に記載の方法。
【００７２】
３０．スケジューリング許可が１次のＡＧでなければ、スケジューリングモードが２次のＡＧモードであるかを判断するステップを含む実施形態４乃至２９のいずれかに記載の方法。
【００７３】
３１．スケジューリングモードが２次のＡＧモードであれば、ＳＧをスケジューリング許可のＡＧ値に設定するステップを含む実施形態３０に記載の方法。
【００７４】
３２．スケジューリングモードが２次のＡＧモードでなければ、スケジューリング許可のＡＧ値を蓄積するステップを含む実施形態３０乃至３１のいずれかに記載の方法。
【００７５】
３３．１次のＡＧモードから２次のＡＧモードへスケジューリングモードを切り替える前に、サービングＲＬＳが２次のＡＧを送信する実施形態４乃至３２のいずれかに記載の方法。
【００７６】
３４．１次のＡＧモードから２次のＡＧモードへスケジューリングモードを切り替える前に、古くなる２次のＡＧが存在するかをサービングＲＬＳが判断するステップを含む実施形態３３に記載の方法。
【００７７】
３５．古くなる２次のＡＧが存在しない場合にのみ、サービングＲＬＳがスケジューリングモードを切り替えるステップを含む実施形態３４に記載の方法。
【００７８】
３６．時間閾値を実装することにより、古くなる２次のＡＧの存在をサービングＲＬＳが判断する実施形態３４乃至３５のいずれかに記載の方法。
【００７９】
３７．時間閾値が静的である実施形態３６に記載の方法。
【００８０】
３８．時間閾値を所定の要因に基づき動的に調整する実施形態３６に記載の方法。
【００８１】
３９．所定の要因がトラフィック状態の変化速度、干渉状態の変動速度および車両速度の中の少なくとも１つを含む実施形態３８に記載の方法。
【００８２】
４０．ＡＧ値が「非アクティブ」に設定されていれば、アクティブ化フラグが「単一」に設定されているかまたは「全て」に設定されているかを判断するステップを含む実施形態１２乃至３９のいずれかに記載の方法。
【００８３】
４１．アクティブ化フラグが「単一」に設定されていれば、ＴＴＩが２ｍｓのＴＴＩであるかまたは１０ｍｓＴＴＩであるかを判断するステップを含む実施形態４０に記載の方法。
【００８４】
４２．ＴＴＩが２ｍｓのＴＴＩであれば、対応するＨ‐ＡＲＱ処理を非アクティブ化するステップを含む実施形態４１に記載の方法。
【００８５】
４３．アクティブ化フラグが「全て」に設定されていれば、２次のＥ‐ＲＮＴＩが構成されているかを判断するステップを含む実施形態１２乃至４２のいずれかに記載の方法。
【００８６】
４４．２次のＥ‐ＲＮＴＩが構成されていなければ、ＴＴＩが２ｍｓのＴＴＩであるかまたは１０ｍｓのＴＴＩであるかを判断するステップを含む実施形態４３に記載の方法。
【００８７】
４５．ＴＴＩが２ｍｓのＴＴＩであれば、全てのＨ‐ＡＲＱ処理を非アクティブ化するステップを含む実施形態４４に記載の方法。
【００８８】
４６．２次のＥ‐ＲＮＴＩが構成されていれば、最後に受信したＡＧ値に基づきＳＧを設定するステップを含む実施形態４３乃至４５のいずれかに記載の方法。
【００８９】
４７．全てのＨ‐ＡＲＱ処理をアクティブ化するステップを含む実施形態４６に記載の方法。
【００９０】
４８．スケジューリングモードを２次のＡＧモードに設定するステップを含む実施形態４７に記載の方法。
【００９１】
４９．２次のＥ‐ＲＮＴＩが構成されていれば、現在のＳＧ値を維持するステップを含む実施形態４３乃至４５のいずれかに記載の方法。
【００９２】
５０．全てのＨ‐ＡＲＱ処理をアクティブ化するステップを含む実施形態４９に記載の方法。
【００９３】
５１．スケジューリングモードを２次のＡＧモードに設定するステップを含む実施形態５０に記載の方法。
【００９４】
５２．ＡＧ値が「非アクティブ」に設定されているかを判断し、ＡＧ値が「非アクティブ」に設定されていない場合にのみ、スケジューリングモードが２次のＡＧモードであるかを判断するステップを含む実施形態１２乃至５１のいずれかに記載の方法。
【００９５】
５３．無線通信システムにおいてＳＧを生成するＷＴＲＵであって、無線通信システムはＥＵをサポートし、ＷＴＲＵがＥ‐ＡＧＣＨを介してサービングＲＬＳからＡＧを受信し、Ｅ‐ＲＧＣＨを介してサービングＲＬＳおよび非サービングＲＬからＲＧを受信するようにするＷＴＲＵ。
【００９６】
５４．ＡＧおよびＲＧを含む受信したスケジューリング許可を復号化する復号化器を含む実施形態５３に記載のＷＴＲＵ。
【００９７】
５５．受信したスケジューリング許可が１次のＡＧであれば、受信したスケジューリング許可が搬送するＡＧ値によりＳＧを更新するように構成するＳＧプロセッサを含む実施形態５４に記載のＷＴＲＵ。
【００９８】
５６．受信したスケジューリング許可がＡＧでなければ、スケジューリングモードが１次のＡＧモードであるかを判断し、スケジューリングモードが１次のＡＧモードでないと判断すれば次のＴＴＩを待つように、ＳＧプロセッサを構成する実施形態５５に記載のＷＴＲＵ。
【００９９】
５７．受信したスケジューリングモードが１次のＡＧモードであれば、受信したＲＧに基づきＳＧを更新するように、ＳＧプロセッサを構成する実施形態５６に記載のＷＴＲＵ。
【０１００】
５８．同一のＨ‐ＡＲＱ処理のために前のＴＴＩの電力比に対して、ＳＧプロセッサがＲＧを解釈する実施形態５５乃至５７のいずれかに記載のＷＴＲＵ。
【０１０１】
５９．ＲＧがアップコマンド、ダウンコマンドおよびホールドコマンドの中の１つのコマンドを示し、ＲＧがアップコマンドを示せば所定のステップサイズだけ前のＳＧを増加させることにより、ＳＧプロセッサがＳＧを生成し、ＲＧがダウンコマンドを示せば所定のステップサイズだけ前のＳＧを減少させることにより、ＳＧプロセッサがＳＧを生成し、ＲＧがホールドコマンドを示せば、ＳＧプロセッサが前のＳＧを保持する実施形態５３乃至５８のいずれかに記載のＷＴＲＵ。
【０１０２】
６０．スケジューリング許可が１次のＡＧであれば、スケジューリングモードを１次のＡＧモードに設定するように、ＳＧプロセッサを構成する実施形態５５乃至５９のいずれかに記載のＷＴＲＵ。
【０１０３】
６１．スケジューリング許可のＡＧ値が「非アクティブ」に設定されているかを判断するようにＳＧプロセッサを構成し、ＡＧ値が「非アクティブ」に設定されていなければ、ＳＧプロセッサがスケジューリング許可のＡＧ値にＳＧを設定する実施形態５５乃至６０のいずれかに記載のＷＴＲＵ。
【０１０４】
６２．ＡＧ値が「非アクティブ」に設定されていれば、スケジューリングモードを２次のＡＧモードに設定するように、ＳＧプロセッサを構成する実施形態６１に記載のＷＴＲＵ。
【０１０５】
６３．ＴＴＩが１０ｍｓであるかまたは２ｍｓであるかを判断し、ＴＴＩが１０ｍｓであれば全てのＨ‐ＡＲＱ処理をアクティブ化し、次のＴＴＩを待つように、ＳＧプロセッサを構成する実施形態６２に記載のＷＴＲＵ。
【０１０６】
６４．ＡＧ値が「非アクティブ」に設定されていれば、ＴＴＩが２ｍｓのＴＴＩであるかまたは１０ｍｓのＴＴＩであるかを判断し、ＴＴＩが２ｍｓであれば、アクティブ化フラグが「単一」に設定されているかまたは「全て」に設定されているかを判断し、アクティブ化フラグが「単一」に設定されていれば、対応するＨ‐ＡＲＱ処理をアクティブ化するように、ＳＧプロセッサを構成する実施形態６１乃至６３のいずれかに記載のＷＴＲＵ。
【０１０７】
６５．アクティブ化フラグが「全て」に設定されているか、またはＴＴＩが１０ｍｓのＴＴＩであれば、２次のＥ‐ＲＮＴＩが構成されているかを判断し、２次のＥ‐ＲＮＴＩが構成されていなければ全てのＨ‐ＡＲＱ処理を非アクティブ化するように、ＳＧプロセッサを構成する実施形態６４に記載のＷＴＲＵ。
【０１０８】
６６．２次のＥ‐ＲＮＴＩが構成されていれば、最後に受信したＡＧ値に基づきＳＧを設定し、全てのＨ‐ＡＲＱ処理をアクティブ化し、スケジューリングモードを２次のＡＧモードに設定するように、ＳＧプロセッサを構成する実施形態６５に記載のＷＴＲＵ。
【０１０９】
６７．２次のＥ‐ＲＮＴＩが構成されていれば、現在のＳＧ値を維持し、全てのＨ‐ＡＲＱ処理をアクティブ化し、スケジューリングモードを２次のＡＧモードに設定するように、ＳＧプロセッサを構成する実施形態６５に記載の方法。
【０１１０】
６８．スケジューリング許可が１次のＡＧでなければ、スケジューリングモードが２次のＡＧモードであるかを判断し、スケジューリングモードが２次のＡＧモードであれば、スケジューリング許可のＡＧ値にＳＧを設定するように、ＳＧプロセッサを構成する実施形態５６乃至６７のいずれかに記載のＷＴＲＵ。
【０１１１】
６９．スケジューリングモードが２次のＡＧモードでなければスケジューリング許可のＡＧ値を蓄積するように、ＳＧプロセッサを構成する実施形態６８に記載のＷＴＲＵ。
【０１１２】
７０．ＡＧ値が「非アクティブ」に設定されていればアクティブ化フラグが「単一」に設定されているかまたは「全て」に設定されているかを判断するように、ＳＧプロセッサを構成する実施形態６１乃至６９のいずれかに記載のＷＴＲＵ。
【０１１３】
７１．アクティブ化フラグが「単一」に設定されていればＴＴＩが２ｍｓのＴＴＩであるかまたは１０ｍｓのＴＴＩであるかを判断するように、ＳＧプロセッサを構成する実施形態７０に記載のＷＴＲＵ。
【０１１４】
７２．ＴＴＩが２ｍｓのＴＴＩであれば対応するＨ‐ＡＲＱ処理を非アクティブ化するように、ＳＧプロセッサを構成する実施形態７１に記載のＷＴＲＵ。
【０１１５】
７３．アクティブ化フラグが「全て」に設定されていれば２次のＥ‐ＲＮＴＩが構成されているかを判断するように、ＳＧプロセッサを構成する実施形態７０乃至７２のいずれかに記載のＷＴＲＵ。
【０１１６】
７４．２次のＥ‐ＲＮＴＩが構成されていなければＴＴＩが２ｍｓのＴＴＩであるかまたは１０ｍｓのＴＴＩであるかを判断し、ＴＴＩが２ｍｓのＴＴＩであれば全てのＨ‐ＡＲＱ処理を非アクティブ化するように、ＳＧプロセッサを構成する実施形態７３に記載のＷＴＲＵ。
【０１１７】
７５．２次のＥ‐ＲＮＴＩが構成されていれば最後に受信したＡＧ値に基づきＳＧ値を設定し、全てのＨ‐ＡＲＱ処理をアクティブ化し、スケジューリングモードを２次のＡＧモードに設定するように、ＳＧプロセッサを構成する実施形態７３に記載のＷＴＲＵ。
【０１１８】
７６．２次のＥ‐ＲＮＴＩが構成されていれば現在のＳＧ値を維持し、全てのＨ‐ＡＲＱ処理をアクティブ化し、スケジューリングモードを２次のＡＧモードに設定するように、ＳＧプロセッサを構成する実施形態７３に記載のＷＴＲＵ。
【０１１９】
７７．ＡＧ値が「非アクティブ」に設定されているかを判断し、ＡＧ値が「非アクティブ」に設定されていない場合にのみスケジューリングモードが２次のＡＧモードであるかを判断するように、ＳＧプロセッサを構成する実施形態６１乃至７６のいずれかに記載のＷＴＲＵ。
【０１２０】
７８．無線通信システムのＷＴＲＵにおいてＳＧの処理をサポートするノード‐Ｂであって、無線通信システムはＥＵをサポートし、ＷＴＲＵがノード‐ＢからＡＧおよびＲＧを受信するようにするノード‐Ｂ。
【０１２１】
７９．ＷＴＲＵから速度要求を受信し、処理するように構成する速度要求プロセッサを含む実施形態７８に記載のノード‐Ｂ。
【０１２２】
８０．ＷＴＲＵに１次のＡＧおよび２次のＡＧを送信することによりリソーススケジューリングを制御するように構成するノード‐Ｂスケジューラを含む実施形態７９に記載のノード‐Ｂ。
【０１２３】
８１．１次のＡＧモードでは特定のＷＴＲＵのみのためにリソーススケジューリングを制御するように、ノード‐Ｂスケジューラを構成する実施形態８０に記載のノード‐Ｂ。
【０１２４】
８２．２次のＡＧモードではＷＴＲＵグループのためにリソーススケジューリングを制御するように、ノード‐Ｂスケジューラを構成し、１次のＡＧモードから２次のＡＧモードへスケジューリングモードを切り替える前に、２次のＡＧを送信するように、ノード‐Ｂスケジューラを構成する実施形態８０乃至８１のいずれかに記載のノード‐Ｂ。
【０１２５】
８３．１次のＡＧモードから２次のＡＧモードへスケジューリングモードを切り替える前に、古くなる２次のＡＧが存在するかを判断し、古くなる２次のＡＧが存在しない場合にのみスケジューリングモードを切り替えるように、ノード‐Ｂスケジューラを構成する実施形態８０乃至８２のいずれかに記載のノード‐Ｂ。
【０１２６】
８４．時間閾値を実装することにより古くなる２次のＡＧの存在を判断するように、ノード‐Ｂスケジューラを構成する実施形態８０乃至８３のいずれかのノード‐Ｂ。
【０１２７】
８５．時間閾値が静的である実施形態８４に記載のノード‐Ｂ。
【０１２８】
８６．時間閾値を所定の要因に基づき動的に調整する実施形態８４に記載のノード‐Ｂ。
【０１２９】
８７．所定の要因がトラフィック状態の変化速度、干渉状態の変動速度および車両速度の中の少なくとも１つを含む実施形態８６に記載のノード‐Ｂ。
【０１３０】
本発明の特徴および要素を特定の組み合わせにおける好ましい実施形態において記述したが、各特長または要素を好ましい実施形態のその他の特徴および要素なしに単独で、または本発明のその他の特徴および要素との種々の組み合わせにおいて、または本発明のその他の特徴および要素なしに使用することができる。
【図面の簡単な説明】
【０１３１】
【図１】従来の無線通信システムのブロック図である。
【図２】本発明により構成されるＷＴＲＵの例示的なブロック図である。
【図３】本発明によりＳＧを処理する処理のフローチャートである。
【図４Ａ】本発明の一実施形態によりサービングＲＬＳからのスケジューリング許可に基づきＳＧを生成する処理のフローチャートである。
【図４Ｂ】本発明の一実施形態によりサービングＲＬＳからのスケジューリング許可に基づきＳＧを生成する処理のフローチャートである。
【図５Ａ】本発明に係るＡＧの送受信およびＳＧの処理を示す図である。
【図５Ｂ】本発明に係るＡＧの送受信およびＳＧの処理を示す図である。
【図５Ｃ】本発明に係るＡＧの送受信およびＳＧの処理を示す図である。
【図６】本発明により構成されるノード‐Ｂのブロック図である。
【図７Ａ】本発明の別の実施形態によるサービングＲＬＳからのスケジューリング許可に基づきＳＧを生成する処理のフローチャートである。
【図７Ｂ】本発明の別の実施形態によるサービングＲＬＳからのスケジューリング許可に基づきＳＧを生成する処理のフローチャートである。
【図１】
2009506721.tif 000003
【図２】
2009506721.tif 000004
【図３】
2009506721.tif 000005
【図４Ａ】
2009506721.tif 000006
【図４Ｂ】
2009506721.tif 000007
【図５Ａ】
2009506721.tif 000008
【図５Ｂ】
2009506721.tif 000009
【図５Ｃ】
2009506721.tif 000010
【図６】
2009506721.tif 000011
【図７Ａ】
2009506721.tif 000012
【図７Ｂ】
2009506721.tif 000013
【手続補正書】
【提出日】平成20年2月28日(2008.2.28)
【手続補正１】
【補正対象書類名】特許請求の範囲
【補正対象項目名】全文
【補正方法】変更
【補正の内容】
【特許請求の範囲】
【請求項１】
サービング許可（ＳＧ）を生成する方法であって、
前記方法が、
スケジューリング許可を受信するステップと、
前記スケジューリング許可が絶対的許可（ＡＧ）であるか、または相対的許可（ＲＧ）であるかを判断するステップと、
前記スケジューリング許可がＡＧである場合には、前記スケジューリング許可が１次のＡＧであるかまたは２次のＡＧであるかを判断するステップと、
前記スケジューリング許可が１次のＡＧである場合には、前記スケジューリング許可が搬送するＡＧ値によりＳＧを更新するステップと
を含むことを特徴とする方法。
【請求項２】
前記スケジューリング許可がＲＧである場合には、スケジューリングモードが１次のＡＧモードであるか否かを判断するステップと、
前記スケジューリングモードが１次のＡＧモードでない場合には、次の送信時間間隔（ＴＴＩ）を待つステップと
をさらに含むことを特徴とする請求項１に記載の方法。
【請求項３】
前記スケジューリングモードが１次のＡＧモードである場合には、前記ＲＧに基づき前記ＳＧを更新するステップをさらに含むことを特徴とする請求項２に記載の方法。
【請求項４】
同一のハイブリッド自動反復要求（Ｈ‐ＡＲＱ）処理のために前の送信時間間隔（ＴＴＩ）の電力比に対して前記ＲＧを解釈することを特徴とする請求項３に記載の方法。
【請求項５】
前記ＲＧがアップコマンド、ダウンコマンドおよびホールドコマンドの中の１つを指し示し、
前記ＲＧがアップコマンドを指し示す場合には、所定のステップサイズだけ前のＳＧを増加させることにより前記ＳＧを生成し、
前記ＲＧがダウンコマンドを指し示す場合には、前記所定のステップサイズだけ前のＳＧを減少させることにより前記ＳＧを生成し、
前記ＲＧがホールドコマンドを指し示す場合には、前のＳＧは変更なしのままであることを特徴とする請求項４に記載の方法。
【請求項６】
前記スケジューリング許可が１次のＡＧである場合には、スケジューリングモードを１次のＡＧモードに設定するステップをさらに含むことを特徴とする請求項１に記載の方法。
【請求項７】
前記スケジューリング許可のＡＧ値が「非アクティブ」に設定されているか否かを判断するステップさらに含み、
前記ＡＧ値が「非アクティブ」に設定されていない場合には、前記ＳＧを前記スケジューリング許可の前記ＡＧ値に設定することを特徴とする請求項１に記載の方法。
【請求項８】
前記ＡＧ値が「非アクティブ」に設定されている場合には、スケジューリングモードを２次のＡＧモードに設定するステップをさらに含むことを特徴とする請求項７に記載の方法。
【請求項９】
送信時間間隔（ＴＴＩ）が１０ｍｓであるかまたは２ｍｓであるかを判断するステップと、
前記ＴＴＩが１０ｍｓである場合には、全てのハイブリッド自動反復要求（Ｈ‐ＡＲＱ）処理をアクティブ化し、次のＴＴＩを待つステップと
をさらに含むことを特徴とする請求項７に記載の方法。
【請求項１０】
前記ＴＴＩが２ｍｓである場合には、アクティブ化フラグが「単一」に設定されているかまたは「全て」に設定されているかを判断するステップと、
前記アクティブ化フラグが「単一」に設定されている場合には、対応するＨ‐ＡＲＱ処理をアクティブ化するステップと、
前記アクティブ化フラグが「全て」に設定されている場合には、全てのＨ‐ＡＲＱ処理をアクティブ化するステップと
をさらに含むことを特徴とする請求項９に記載の方法。
【請求項１１】
前記ＡＧ値が「非アクティブ」に設定されている場合には、前記送信時間間隔（ＴＴＩ）が２ｍｓのＴＴＩであるかまたは１０ｍｓのＴＴＩであるかを判断するステップと、
前記送信時間間隔（ＴＴＩ）が２ｍｓのＴＴＩである場合には、アクティブ化フラグが「単一」に設定されているかまたは「全て」に設定されているかを判断するステップと、
前記アクティブ化フラグが「単一」に設定されている場合には、対応するハイブリッド自動反復要求（Ｈ‐ＡＲＱ）処理を非アクティブ化するステップと
をさらに含むことを特徴とする請求項７に記載の方法。
【請求項１２】
前記アクティブ化フラグが「全て」に設定されているか、または前記ＴＴＩが１０ｍｓのＴＴＩであるかのいずれかである場合には、２次の拡張個別チャネル（Ｅ‐ＤＣＨ）無線ネットワーク暫定識別子（Ｅ‐ＲＮＴＩ）が構成されているか否かを判断するステップと、
前記２次のＥ‐ＲＮＴＩが構成されていない場合には、全てのＨ‐ＡＲＱ処理を非アクティブ化するステップと
をさらに含むことを特徴とする請求項１１に記載の方法。
【請求項１３】
前記２次のＥ‐ＲＮＴＩが構成されている場合には、最後に受信したＡＧ値に基づき前記ＳＧ値を設定するステップと、
全てのＨ‐ＡＲＱ処理をアクティブ化するステップと、
スケジューリングモードを２次のＡＧモードに設定するステップと
をさらに含むことを特徴とする請求項１２に記載の方法。
【請求項１４】
前記２次のＥ‐ＲＮＴＩが構成されている場合には、現在のＳＧ値を維持するステップと、
全てのＨ‐ＡＲＱ処理をアクティブ化するステップと、
スケジューリングモードを２次のＡＧモードに設定するステップと
をさらに含むことを特徴とする請求項１２に記載の方法。
【請求項１５】
前記スケジューリング許可が１次のＡＧでない場合には、前記スケジューリングモードが２次のＡＧモードであるか否かを判断するステップと、
前記スケジューリングモードが２次のＡＧモードである場合には、前記ＳＧを前記スケジューリング許可のＡＧ値に設定するステップと
をさらに含むことを特徴とする請求項６に記載の方法。
【請求項１６】
前記スケジューリングモードが２次のＡＧモードでない場合には、前記スケジューリング許可のＡＧ値を蓄積するステップをさらに含むことを特徴とする請求項１５に記載の方法。
【請求項１７】
１次のＡＧモードから２次のＡＧモードへ前記スケジューリングモードを切り替える前に、無線送信／受信装置（ＷＴＲＵ）がサービング無線リンクセット（ＲＬＳ）から２次のＡＧを受信することを特徴とする請求項８に記載の方法。
【請求項１８】
古くなる２次のＡＧが存在しない場合にのみ、前記スケジューリングモードを切り替えることを特徴とする請求項１７に記載の方法。
【請求項１９】
時間閾値を実装することにより、前記古くなる２次のＡＧの存在を判断することを特徴とする請求項１８に記載の方法。
【請求項２０】
前記時間閾値が静的であることを特徴とする請求項１９に記載の方法。
【請求項２１】
前記時間閾値を所定の要因に基づき動的に調整することを特徴とする請求項１９に記載の方法。
【請求項２２】
前記所定の要因がトラフィック状態の変化速度、干渉状態の変動速度および車両速度の中の少なくとも１つを含むことを特徴とする請求項２１に記載の方法。
【請求項２３】
前記ＡＧ値が「非アクティブ」に設定されている場合には、前記アクティブ化フラグが「単一」に設定されているかまたは「全て」に設定されているかを判断するステップと、
前記アクティブ化フラグが「単一」に設定されている場合には、送信時間間隔（ＴＴＩ）が２ｍｓのＴＴＩであるかまたは１０ｍｓのＴＴＩであるかを判断するステップと、
前記ＴＴＩが２ｍｓのＴＴＩである場合には、対応するハイブリッド自動反復要求（Ｈ‐ＡＲＱ）処理を非アクティブ化するステップと
をさらに含むことを特徴とする請求項７に記載の方法。
【請求項２４】
前記アクティブ化フラグが「全て」に設定されている場合には、２次の拡張個別チャネル（Ｅ‐ＤＣＨ）無線ネットワーク暫定識別子（Ｅ‐ＲＮＴＩ）が構成されているか否かを判断するステップと、
前記２次のＥ‐ＲＮＴＩが構成されていない場合には、送信時間間隔（ＴＴＩ）が２ｍｓのＴＴＩであるかまたは１０ｍｓのＴＴＩであるかを判断するステップと、
前記ＴＴＩが２ｍｓのＴＴＩである場合には、全てのＨ‐ＡＲＱ処理を非アクティブ化するステップと
をさらに含むことを特徴とする請求項２３に記載の方法。
【請求項２５】
前記２次のＥ‐ＲＮＴＩが構成されている場合には、最後に受信したＡＧ値に基づき前記ＳＧ値を設定するステップと、
全てのＨ‐ＡＲＱ処理をアクティブ化するステップと、
スケジューリングモードを２次のＡＧモードに設定するステップと
をさらに含むことを特徴とする請求項２４に記載の方法。
【請求項２６】
前記２次のＥ‐ＲＮＴＩが構成されている場合には、現在のＳＧ値を維持するステップと、
全てのＨ‐ＡＲＱ処理をアクティブ化するステップと、
スケジューリングモードを２次のＡＧモードに設定するステップと
をさらに含むことを特徴とする請求項２４に記載の方法。
【請求項２７】
前記ＡＧ値が「非アクティブ」に設定されているか否かを判断するステップと、
前記ＡＧ値が「非アクティブ」に設定されていない場合にのみ、前記スケジューリングモードが２次のＡＧモードであるか否かを判断するステップと
をさらに含むことを特徴とする請求項１５に記載の方法。
【請求項２８】
サービング許可（ＳＧ）を生成する無線送信／受信装置（ＷＴＲＵ）であって、
前記ＷＴＲＵが、
スケジューリング許可を受信する送受信機と、
前記スケジューリング許可を復号化する復号化器と、
前記受信したスケジューリング許可が１次のＡＧであれば、前記受信したスケジューリング許可が搬送する絶対的許可（ＡＧ）値によりＳＧを更新するように構成するＳＧプロセッサと
を含むことを特徴とするＷＴＲＵ。
【請求項２９】
受信したスケジューリング許可が相対的許可（ＲＧ）である場合には、スケジューリングモードが１次のＡＧモードであるか否かを判断し、前記スケジューリングモードが１次のＡＧモードでないと判断すれば次の送信時間間隔（ＴＴＩ）を待つように、前記ＳＧプロセッサを構成することを特徴とする請求項２８に記載のＷＴＲＵ。
【請求項３０】
前記受信したスケジューリングモードが１次のＡＧモードである場合には、前記ＲＧに基づき前記ＳＧを更新するように、前記ＳＧプロセッサを構成することを特徴とする請求項２９に記載のＷＴＲＵ。
【請求項３１】
同一のハイブリッド自動反復要求（Ｈ‐ＡＲＱ）処理のために前の送信時間間隔（ＴＴＩ）の電力比に対して、前記ＳＧプロセッサが前記ＲＧを解釈することを特徴とする請求項３０に記載のＷＴＲＵ。
【請求項３２】
前記ＲＧがアップコマンド、ダウンコマンドおよびホールドコマンドの中の１つを指し示し、
前記ＲＧがアップコマンドを指し示す場合には、所定のステップサイズだけ前のＳＧを増加させることにより、前記ＳＧプロセッサが前記ＳＧを生成し、
前記ＲＧがダウンコマンドを指し示す場合には、前記所定のステップサイズだけ前のＳＧを減少させることにより、前記ＳＧプロセッサが前記ＳＧを生成し、
前記ＲＧがホールドコマンドを指し示す場合には、前記ＳＧプロセッサが前のＳＧを保持することを特徴とする請求項３１に記載のＷＴＲＵ。
【請求項３３】
前記スケジューリング許可が１次のＡＧである場合には、スケジューリングモードを１次のＡＧモードに設定するように、前記ＳＧプロセッサを構成することを特徴とする請求項２８に記載のＷＴＲＵ。
【請求項３４】
前記スケジューリング許可のＡＧ値が「非アクティブ」に設定されているか否かを判断し、前記ＡＧ値が「非アクティブ」に設定されていない場合には、前記ＳＧを前記スケジューリング許可の前記ＡＧ値に設定するように、前記ＳＧプロセッサを構成することを特徴とする請求項２８に記載のＷＴＲＵ。
【請求項３５】
前記ＡＧ値が「非アクティブ」に設定されている場合には、スケジューリングモードを２次のＡＧモードに設定するように、前記ＳＧプロセッサを構成することを特徴とする請求項３４に記載のＷＴＲＵ。
【請求項３６】
送信時間間隔（ＴＴＩ）が１０ｍｓであるかまたは２ｍｓであるかを判断し、前記ＴＴＩが１０ｍｓである場合には、全ての同一のハイブリッド自動反復要求（Ｈ‐ＡＲＱ）処理をアクティブ化し、次のＴＴＩを待つように、前記ＳＧプロセッサを構成することを特徴とする請求項３４に記載のＷＴＲＵ。
【請求項３７】
前記ＡＧ値が「非アクティブ」に設定されている場合には、送信時間間隔（ＴＴＩ）が２ｍｓのＴＴＩであるかまたは１０ｍｓのＴＴＩであるかを判断し、前記ＴＴＩが２ｍｓである場合には、アクティブ化フラグが「単一」に設定されているかまたは「全て」に設定されているかを判断し、前記アクティブ化フラグが「単一」に設定されている場合には、対応するＨ‐ＡＲＱ処理をアクティブ化するように、前記ＳＧプロセッサを構成することを特徴とする請求項３６に記載のＷＴＲＵ。
【請求項３８】
前記アクティブ化フラグが「全て」に設定されているか、または前記送信時間間隔（ＴＴＩ）が１０ｍｓのＴＴＩである場合には、２次の拡張個別チャネル（Ｅ‐ＤＣＨ）無線ネットワーク暫定識別子（Ｅ‐ＲＮＴＩ）が構成されているか否かを判断し、前記２次のＥ‐ＲＮＴＩが構成されていない場合には、全てのＨ‐ＡＲＱ処理を非アクティブ化するように、前記ＳＧプロセッサを構成することを特徴とする請求項３７に記載のＷＴＲＵ。
【請求項３９】
前記２次のＥ‐ＲＮＴＩが構成されている場合には、最後に受信したＡＧ値に基づき前記ＳＧを設定し、全てのＨ‐ＡＲＱ処理をアクティブ化し、前記スケジューリングモードを２次のＡＧモードに設定するように、前記ＳＧプロセッサを構成することを特徴とする請求項３８に記載のＷＴＲＵ。
【請求項４０】
前記２次のＥ‐ＲＮＴＩが構成されている場合には、現在のＳＧ値を維持し、全てのＨ‐ＡＲＱ処理をアクティブ化し、前記スケジューリングモードを２次のＡＧモードに設定するように、前記ＳＧプロセッサを構成することを特徴とする請求項３８に記載のＷＴＲＵ。
【請求項４１】
前記スケジューリング許可が１次のＡＧでない場合には、スケジューリングモードが２次のＡＧモードであるか否かを判断し、前記スケジューリングモードが２次のＡＧモードである場合には、前記ＳＧを前記スケジューリング許可のＡＧ値に設定するように、前記ＳＧプロセッサを構成することを特徴とする請求項２８に記載のＷＴＲＵ。
【請求項４２】
前記スケジューリングモードが２次のＡＧモードでない場合には、前記スケジューリング許可のＡＧ値を蓄積するように、前記ＳＧプロセッサを構成することを特徴とする請求項４１に記載のＷＴＲＵ。
【請求項４３】
前記ＡＧ値が「非アクティブ」に設定されていれば、前記アクティブ化フラグが「単一」に設定されているかまたは「全て」に設定されているかを判断し、前記アクティブ化フラグが「単一」に設定されている場合には、送信時間間隔（ＴＴＩ）が２ｍｓのＴＴＩであるかまたは１０ｍｓのＴＴＩであるかを判断し、前記ＴＴＩが２ｍｓのＴＴＩである場合には、対応するハイブリッド自動反復要求（Ｈ‐ＡＲＱ）処理を非アクティブ化するように、前記ＳＧプロセッサを構成することを特徴とする請求項３４に記載のＷＴＲＵ。
【請求項４４】
前記アクティブ化フラグが「全て」に設定されている場合には、２次の拡張個別チャネル（Ｅ‐ＤＣＨ）無線ネットワーク暫定識別子（Ｅ‐ＲＮＴＩ）が構成されているか否かを判断し、前記２次のＥ‐ＲＮＴＩが構成されていない場合には、前記送信時間間隔（ＴＴＩ）が２ｍｓのＴＴＩであるかまたは１０ｍｓのＴＴＩであるかを判断し、前記ＴＴＩが２ｍｓのＴＴＩである場合には、全てのＨ‐ＡＲＱ処理を非アクティブ化するように、前記ＳＧプロセッサを構成することを特徴とする請求項４３に記載のＷＴＲＵ。
【請求項４５】
前記２次のＥ‐ＲＮＴＩが構成されている場合には、最後に受信したＡＧ値に基づき前記ＳＧを設定し、全てのＨ‐ＡＲＱ処理をアクティブ化し、スケジューリングモードを２次のＡＧモードに設定するように、前記ＳＧプロセッサを構成することを特徴とする請求項４４に記載のＷＴＲＵ。
【請求項４６】
前記２次のＥ‐ＲＮＴＩが構成されている場合には、現在のＳＧを維持し、全てのＨ‐ＡＲＱ処理をアクティブ化し、スケジューリングモードを２次のＡＧモードに設定するように、前記ＳＧプロセッサを構成することを特徴とする請求項４４に記載のＷＴＲＵ。
【請求項４７】
前記ＡＧ値が「非アクティブ」に設定されているか否かを判断し、前記ＡＧ値が「非アクティブ」に設定されていない場合にのみ、前記スケジューリングモードが２次のＡＧモードであるか否かを判断するように、前記ＳＧプロセッサを構成することを特徴とする請求項４１に記載のＷＴＲＵ。
【請求項４８】
無線送信／受信装置（ＷＴＲＵ）のためにリソースをスケジューリングするノード‐Ｂであって、
前記ノード‐Ｂが、
ＷＴＲＵから速度要求を受信するように構成する送受信機と、
前記速度要求を処理するように構成された速度要求プロセッサと、
前記ＷＴＲＵに１次の絶対的許可（ＡＧ）および２次のＡＧを送信することによりリソーススケジューリングを制御し、１次のＡＧモードでは特定のＷＴＲＵのみのためにリソーススケジューリングを制御し、２次のＡＧモードではＷＴＲＵグループのためにリソーススケジューリングを制御するように構成するノード‐Ｂスケジューラであって、１次のＡＧモードから２次のＡＧモードへスケジューリングモードを切り替える前に、２次のＡＧを送信するように構成されたノード‐Ｂスケジューラと
を含むことを特徴とするノード‐Ｂ。
【請求項４９】
前記１次のＡＧモードから前記２次のＡＧモードへ前記スケジューリングモードを切り替える前に、古くなる２次のＡＧが存在するか否かを判断し、古くなる２次のＡＧが存在しない場合にのみ、前記スケジューリングモードを切り替えるように、前記ノード‐Ｂスケジューラを構成することを特徴とする請求項４８に記載のノード‐Ｂ。
【請求項５０】
時間閾値を実装することにより前記古くなる２次のＡＧの存在を判断するように、前記ノード‐Ｂスケジューラを構成することを特徴とする請求項４９に記載のノード‐Ｂ。
【請求項５１】
前記時間閾値が静的であることを特徴とする請求項５０に記載のノード‐Ｂ。
【請求項５２】
前記時間閾値を所定の要因に基づき動的に調整することを特徴とする請求項５０に記載のノード‐Ｂ。
【請求項５３】
前記所定の要因がトラフィック状態の変化速度、干渉状態の変動速度および車両速度の中の少なくとも１つを含むことを特徴とする請求項５２に記載のノード‐Ｂ。
【国際調査報告】
2009506721.tif 000014